(57)【要約】【課題】タイル裏面への取り付け作業をワンタッチで容易に行うことができると共に、簡素な構造でかつ低廉にタイルの剥落を確実に防止できるタイル剥落防止具１を提供する。【解決手段】本発明のタイル剥落防止具１は、タイル２０の裏面２０ａに形成された裏足２１，２２間に固定されるタイル剥落防止具であって、裏足２１の凹部２３内に挿入可能な第１挿入部２を備えた第１固定部３と、裏足２２の凹部２４内に挿入可能な第２挿入部４を備えた第２固定部５とを有し、第１固定部３および第２固定部５を内側に押圧することにより第１挿入部２と第２挿入部４との離間距離が縮小し裏足２１，２２間の凹条部２５内に挿入可能に構成され、前記押圧を解除することにより第１挿入部２と第２挿入部４との離間距離が復元して裏足２１，２２間に固定されるよう構成されている。【選択図】図７
2012082610.tif 000002
【特許請求の範囲】
【請求項１】
タイルの裏面に形成された裏足間に固定されるタイル剥落防止具であって、該タイル剥落防止具は、一方の裏足の内側面に形成された凹部内に挿入可能な第１挿入部を先端付近に備えた第１固定部と、他方の裏足の内側面に形成された凹部内に挿入可能な第２挿入部を先端付近に備え前記第１固定部と基部付近で一体的に構成された第２固定部とを有し、前記第１固定部および前記第２固定部を内側に押圧することにより前記第１挿入部と前記第２挿入部との離間距離が縮小し裏足間の凹条部内に挿入可能に構成され、前記押圧を解除することにより前記第１挿入部と前記第２挿入部との離間距離が復元して裏足間に固定されることを特徴とするタイル剥落防止具。
【請求項２】
タイルと、前記タイルの裏面に形成された裏足間に固定されたタイル剥落防止具と、前記タイルの裏面に打設されたコンクリート層とを有し、前記タイル剥落防止具は、一方の裏足の内側面に形成された凹部内に挿入可能な第１挿入部を先端付近に備えた第１固定部と、他方の裏足の内側面に形成された凹部内に挿入可能な第２挿入部を先端付近に備え前記第１固定部と基部付近で一体的に構成された第２固定部とを有し、前記第１固定部および前記第２固定部を内側に押圧することにより前記第１挿入部と前記第２挿入部との離間距離が縮小し裏足間の凹条部内に挿入され、前記押圧を解除することにより前記第１挿入部と前記第２挿入部との離間距離が復元して裏足間に固定されていることを特徴とするＰＣ板である。
【請求項３】
複数のタイルを配列する工程と、前記タイルの裏面に形成された裏足間にタイル剥落防止具を固定する工程と、前記タイルの裏面にコンクリートを打設する工程とを有し、前記タイル剥落防止具を固定する工程は、一方の裏足の内側面に形成された凹部内に挿入可能な第１挿入部を先端付近に備えた第１固定部と、他方の裏足の内側面に形成された凹部内に挿入可能な第２挿入部を先端付近に備え前記第１固定部と基部付近で一体的に構成された第２固定部とを有したタイル剥落防止具を、前記第１固定部および前記第２固定部を内側に押圧することによって前記第１挿入部と前記第２挿入部との離間距離を縮小させ裏足間の凹条部内に挿入した後、前記押圧を解除することによって前記第１挿入部と前記第２挿入部との離間距離が復元して裏足間に固定されるものであることを特徴とするＰＣ板の製造方法。
【発明の詳細な説明】
【技術分野】
【０００１】
本発明は、壁面等の装飾材としてタイルを使用した場合、タイルが壁面等から剥落することを防止するためのタイル剥落防止具、それを用いたＰＣ板、およびそれを用いて作製するＰＣ板の製造方法に関する。
【背景技術】
【０００２】
従来より、タイルが壁面等から剥落することを防止するものとして、壁面等とタイルの間に介在させるタイル剥落防止具が種々提案されている。例えば、そのようなものとして、特開平１１−２０５０５８号公報の大型タイル等の固定金具がある。この固定金具は、大型タイルの裏面に当接固定される固定片と、固定片から裏側に立ち上げられた立上片と、立上片からタイルの裏面に対して平行に延出した延出片とからなり、使用に際しては固定片をタイルの裏面にボルトにて固定しなければならず取り付け作業が煩雑であった。
【先行技術文献】
【特許文献】
【０００３】
【特許文献１】特開平１０−２０５０５８号公報
【発明の概要】
【発明が解決しようとする課題】
【０００４】
そこで、本発明の課題は、タイル裏面への取り付け作業をワンタッチで容易に行うことができると共に、簡素な構造でかつ低廉にタイルの剥落を確実に防止できるタイル剥落防止具、それを用いたＰＣ板、およびそれを用いて作製したＰＣ板の製造方法を提供することにある。
【課題を解決するための手段】
【０００５】
上記課題を解決するものは、タイルの裏面に形成された裏足間に固定されるタイル剥落防止具であって、該タイル剥落防止具は、一方の裏足の内側面に形成された凹部内に挿入可能な第１挿入部を先端付近に備えた第１固定部と、他方の裏足の内側面に形成された凹部内に挿入可能な第２挿入部を先端付近に備え前記第１固定部と基部付近で一体的に構成された第２固定部とを有し、前記第１固定部および前記第２固定部を内側に押圧することにより前記第１挿入部と前記第２挿入部との離間距離が縮小し裏足間の凹条部内に挿入可能に構成され、前記押圧を解除することにより前記第１挿入部と前記第２挿入部との離間距離が復元して裏足間に固定されることを特徴とするタイル剥落防止具である。
【０００６】
また、上記課題を解決するものは、タイルと、前記タイルの裏面に形成された裏足間に固定されたタイル剥落防止具と、前記タイルの裏面に打設されたコンクリート層とを有し、前記タイル剥落防止具は、一方の裏足の内側面に形成された凹部内に挿入可能な第１挿入部を先端付近に備えた第１固定部と、他方の裏足の内側面に形成された凹部内に挿入可能な第２挿入部を先端付近に備え前記第１固定部と基部付近で一体的に構成された第２固定部とを有し、前記第１固定部および前記第２固定部を内側に押圧することにより前記第１挿入部と前記第２挿入部との離間距離が縮小し裏足間の凹条部内に挿入され、前記押圧を解除することにより前記第１挿入部と前記第２挿入部との離間距離が復元して裏足間に固定されていることを特徴とするＰＣ板である。
【０００７】
さらに、上記課題を解決するものは、複数のタイルを配列する工程と、前記タイルの裏面に形成された裏足間にタイル剥落防止具を固定する工程と、前記タイルの裏面にコンクリートを打設する工程とを有し、前記タイル剥落防止具を固定する工程は、一方の裏足の内側面に形成された凹部内に挿入可能な第１挿入部を先端付近に備えた第１固定部と、他方の裏足の内側面に形成された凹部内に挿入可能な第２挿入部を先端付近に備え前記第１固定部と基部付近で一体的に構成された第２固定部とを有したタイル剥落防止具を、前記第１固定部および前記第２固定部を内側に押圧することによって前記第１挿入部と前記第２挿入部との離間距離を縮小させ裏足間の凹条部内に挿入した後、前記押圧を解除することによって前記第１挿入部と前記第２挿入部との離間距離が復元して裏足間に固定されるものであることを特徴とするＰＣ板の製造方法である。
【発明の効果】
【０００８】
請求項１ないし３に記載した発明によれば、タイル裏面への取り付け作業をワンタッチで容易に行うことができると共に、簡素な構造でかつ低廉にタイルの剥落をより確実に防止できる。
【図面の簡単な説明】
【０００９】
【図１】本発明のタイル剥落防止具の一実施例の正面図である。
【図２】図１に示したタイル剥落防止具の右側面図である。
【図３】図１に示したタイル剥落防止具の斜視図である。
【図４】図１に示したタイル剥落防止具の屈曲成形前の状態を示す正面図である。
【図５】図１に示したタイル剥落防止具の作用を説明するための右側面図である。
【図６】本発明のＰＣ板の製造方法の一工程を説明するための斜視図である。
【図７】本発明のＰＣ板の一実施例の部分縦断面概略図である。
【図８】引張強度試験の方法を説明するための試験器概略図である。
【発明を実施するための形態】
【００１０】
本発明は、第１固定部３および第２固定部５を内側に押圧することにより第１挿入部２と第２挿入部４との離間距離が縮小し裏足２１，２２間の凹条部２５内に挿入可能に構成され、前記押圧を解除することにより第１挿入部２と第２挿入部４との離間距離が復元して裏足２１，２２間に簡単かつ強固に固定され、ボルト等による取り付け作業が不要でワンタッチ装着が可能なタイル剥落防止具１を実現した。
【実施例１】
【００１１】
本発明のタイル剥落防止具を図１ないし図７に示した一実施例を用いて説明する。
この実施例のタイル剥落防止具１は、タイル２０の裏面２０ａに形成された裏足２１，２２間に固定されるタイル剥落防止具であって、一方の裏足２１の内側面２１ａに形成された凹部２３内に挿入可能な第１挿入部２を先端付近に備えた第１固定部３と、他方の裏足２２の内側面２２ａに形成された凹部２４内に挿入可能な第２挿入部４を先端付近に備え第１固定部３と基部付近で一体的に構成された第２固定部５とを有し、第１固定部３および第２固定部５を内側に押圧することにより第１挿入部２と第２挿入部４との離間距離が縮小し裏足２１，２２間の凹条部２５内に挿入可能に構成され、前記押圧を解除することにより第１挿入部２と第２挿入部４との離間距離が復元して裏足２１，２２間に固定されるように構成されている。以下、各構成について順次詳述する。
【００１２】
タイル剥落防止具は、図６または図７に示すように、タイル２０の裏面２０ａに形成された裏足２１，２２間に固定されるタイル剥落防止具であり、二丁掛タイルであれば例えば、図６に示すように、長手方向に沿って中央付近に設けられた２本の裏足２１，２２間の両側付近に２個固定されて使用される。ただし、本発明のタイル剥落防止具１が使用可能なタイルは二丁掛に限定されるものではなく、裏足を有するタイルであればどのようなタイルでもよい。また、この実施例では、長手方向に沿って中央付近に設けられた２本の裏足２１，２２間の両側付近に２個使用されているが、これに限定されるものではなく、裏足間であればどの部位でもよく、さらに、一枚のタイルに使用されるタイル剥落防止具は２個に限定されず、タイルの大きさ等に応じて１ケ以上で適宜選択決定可能である。
【００１３】
第１固定部（固定片）３は、図７に示すように、一方の裏足２１の内側面２１ａに形成された凹部２３内に挿入可能な第１挿入部（挿入片）２を先端付近（図７中下部付近）に備え、タイル２０の裏面２０ａに係合してタイル２０の落下を防止すると共に、基部３ａ側は施工面側に突出してモルタルまたはコンクリート層内に延在することでタイル２０を強固に保持する。
【００１４】
第２固定部（固定片）５は、他方の裏足２２の内側面２２ａに形成された凹部２４内に挿入可能な第２挿入部４を先端付近に備え第１固定部３と基部付近で一体的に構成されており、第１固定部３と同様に、タイル２０の裏面２０ａに係合してタイル２０の落下を防止すると共に、基部５ａ側は施工面側に突出してモルタルまたはコンクリート層３１内に延在することでタイル２０を強固に支持する。
【００１５】
具体的には、この実施例のタイル剥落防止具１は、図４に示すように、一枚のステンレス板の両側をそれぞれ逆Ｌ字状、Ｌ字状に切り欠いて、中央を第１固定部３とし、第１固定部３の両側をそれぞれ第２固定部５Ａ，５Ｂとして構成されている。
【００１６】
第１固定部３は、図２ないし図４に示すように、水平方向に延びる４本の屈曲線３ｅ，３ｆ，３ｇ，３ｈを有しており、側面視（図２参照）で略Ｓ字型に構成されている。これにより、タイル２０とモルタルまたはコンクリート層３１がドライアウト等の界面剥離を起こしても、第１固定部３の周囲に付着したモルタル等が硬化していることによってタイル剥落防止具１がモルタルまたはコンクリート層３１内に強固に固定保持され、タイル２０の剥落がより確実に防止される。
【００１７】
具体的には、屈曲線３ｅは、第１固定部３の基部３ａと第２固定部５の基部５ａとが一体となる境界線であると共に、ステンレス板面の一方側下方に向かって約４０゜程度屈曲させる線である。屈曲線３ｆは、ステンレス板面の他方側下方に向かって約９０゜程度屈曲させる線である。屈曲線３ｇは、ステンレス板面の一方側下方に向かって約９０゜程度屈曲させる線である。さらに、屈曲線３ｈは、ステンレス板面の一方側上方に向かって約１１０゜程度屈曲させる線であり、それより先端部は第１挿入部（挿入片）２を構成する。
【００１８】
第２固定部５Ａ，５Ｂは、図２ないし図４に示すように、水平方向に延びる２本の屈曲線５ｅ，５ｆをそれぞれ有している。屈曲線５ｅは、ステンレス板面の他方側下方に向かって約３０゜程度屈曲させる線であり、屈曲線５ｆは、ステンレス板面の他方側水平方向に向かって約１３５゜程度屈曲させる線であり、それより先端部は第２挿入部（挿入片）４を構成する。
【００１９】
また、第２固定部５の基部５ａには、結束用穴６ａ，６ｂが設けられている。これらの結束用穴６ａ，６ｂは、ステンレス線等でＰＣ板内の鉄筋３２と結束するためのものであり、このような結束によりタイル２０に対する機械的支持力をさらに強化することができる。
【００２０】
このタイル剥落防止具１は、図５に示すように、第１固定部３および第２固定部５を内側に押圧することにより、換言すれば、第１固定部３および第２固定部５を把持して屈曲線３ｆ付近を内側に向かって押圧することにより、第１固定部３の第１挿入部２と第２固定部５の第２挿入部４との離間距離が縮小し（図５中、ｍからｓとなって）、裏足２１，２２間の凹条部２５（図７参照）内に挿入可能に構成されている。そして、凹条部２５内に挿入後、前記押圧を解除することにより第１挿入部２と第２挿入部４との離間距離が復元して（図５中、ｓからｍとなって）、裏足２１の内側面２１ａに形成された凹部２３内に第１挿入部２が侵入し、裏足２２の内側面２２ａに形成された凹部２４内に第２挿入部４が侵入して、タイル剥落防止具１が裏足２１，２２間に固定されるよう構成されている。なお、前述したタイル剥落防止具１の復元力は、ステンレス板に焼き入れを施し強化したことによる反発力で構成することができる。
【００２１】
このように、本発明のタイル剥落防止具１は、タイル裏面への取り付け作業をワンタッチで容易に行うことができると共に、タイルへの取り付けに接着材（例えば有機質系ボンド等）を使用しないため、熱等による接着材の変質や膨張等に起因するトラブルの発生もなく、簡素な構造で低廉にタイルの剥落を確実に防止できる。
【００２２】
つぎに、図７に示した本発明のＰＣ板の一実施例について説明する。
この実施例のＰＣ板３０は、タイル２０と、タイル２０の裏面２０ａに形成された裏足２１，２２間に固定されたタイル剥落防止具１と、タイル２０の裏面２０ａ側に打設されたコンクリート層３１とを有し、タイル剥落防止具１は、一方の裏足２１の内側面２１ａに形成された凹部２３内に挿入可能な第１挿入部２を先端付近に備えた第１固定部３と、他方の裏足２２の内側面２２ａに形成された凹部２４内に挿入可能な第２挿入部４を先端付近に備え第１固定部３と基部５ａ付近で一体的に構成された第２固定部５とを有し、第１固定部３および第２固定部５を内側に押圧することにより第１挿入部２と第２挿入部４との離間距離が縮小し裏足２１，２２間の凹条部２５内に挿入され、前記押圧を解除することにより第１挿入部２と第２挿入部４との離間距離が復元して裏足２１，２２間に固定されていることを特徴とするＰＣ板である。以下、各構成について説明するが、タイル剥落防止具１については前述した通りであり説明を省略する。
【００２３】
タイル２０は内外装材であり、この実施例では二丁掛タイルが縦横に複数整列配置されて壁面等を構成する。裏足２１，２２の内側面２１ａ，２２ａにそれぞれ形成された凹部２３，２４は、タイル素地を押し出し成形する際に長手方向に沿って凹条に形成されたものであり、この実施例では裏足２１，２２の基部に形成されているが、裏足２１，２２の中間部付近に形成されていてもよい。また、タイル２０は二丁掛であるがこれに限定されるものではなく、裏足を有するタイルであればどのようなサイズのタイルでもよい。
【００２４】
タイル２０の裏面２０ａには図６に示すように各２個のタイル剥落防止具１が装着されており、裏面２０ａ側からコンクリートが打設されてコンクリート層３１が形成されている。この実施例のタイル剥落防止具１は、長手方向に沿って中央付近に設けられた２本の裏足２１，２２間の両側付近に２個使用されているが、これに限定されるものではなく、裏足間であればどの部位でもよく、さらに、一枚のタイルに使用されるタイル剥落防止具は２個に限定されず、タイルの大きさ等に応じて１ケ以上で適宜選択決定可能である。
【００２５】
このように、本発明のＰＣ板３０はタイル２０とコンリート層３１との間に前述したタイル剥落防止具１が介在されているため、タイル裏面への取り付け作業をワンタッチで容易に行うことができ、ボルトや接着材も不要で、タイルの剥落をより確実に防止できるＰＣ板に構成されている。
【００２６】
さらに、本発明のＰＣ板の製造方法の一実施例について説明する。
ＰＣ板３０の製造方法は、図６または図７に示すように、複数のタイル２０を配列する工程と、タイル２０の裏面２０ａに形成された裏足２１，２２間にタイル剥落防止具１を固定する工程と、タイル２０の裏面２０にコンクリートを打設する工程とを有し、タイル剥落防止具１を固定する工程は、一方の裏足２１の内側面２１ａに形成された凹部２３内に挿入可能な第１挿入部２を先端付近に備えた第１固定部３と、他方の裏足２２の内側面２２ａに形成された凹部２４内に挿入可能な第２挿入部４を先端付近に備え第１固定部２と基部５ａ付近で一体的に構成された第２固定部５とを有したタイル剥落防止具１を、第１固定部３および第２固定部５を内側に押圧することによって第１挿入部２と第２挿入部４との離間距離を縮小させ裏足２１，２２間の凹条部２５内に挿入した後、前記押圧を解除することによって第１挿入部２と第２挿入部４との離間距離が復元して裏足２１，２２間に固定されるものであることを特徴とするＰＣ板の製造方法である。以下、各工程について説明するが、タイル剥落防止具１を固定する工程は前述した通りであり説明を省略する。
【００２７】
複数のタイル２０を配列する工程は、ＰＣ板型枠ベッド内に仮目地材を配しタイル２０を敷設整列させることにより行われる。コンクリー打設工程は、タイル剥落防止具１をタイル２０の裏面２０ａにそれぞれ固定した後、ＰＣ板型枠内にコンクリート打設することにより行われている。その後、養生硬化させてＰＣ板が製造される。
【００２８】
このように、本発明のＰＣ板３０の製造方法は、タイル２０とコンリート層３１との間に前述したタイル剥落防止具１を介在させる工程を有しているため、タイル裏面への取り付け作業をワンタッチで容易に行うことができ、ボルトや接着材も不要で、タイルの剥落をより確実に防止できるＰＣ板が製造できる。
【００２９】
（引張強度試験）
つぎに、本発明のタイル剥落防止具１の剥落防止効果を検証するために以下の引張強度試験を行った。
試験体として、二丁掛サイズでせっ器質無釉湿式外装タイル２０を５枚（試験体１ないし５）を準備し、それらの裏面にタイル剥落防止具１を各１個中央部に固定し、図８に示した試験器４０に試験体１ないし５をそれぞれセットして引張強度試験を行った。より具体的には、タイル２０の裏面に固定したタイル剥落防止具１をステンレス製リング４１を介してワイヤー４２で吊した上で、荷重体４３で下方に向かって押圧し、タイル２０とタイル剥落防止具１とが分離した時点の最大引張荷重値（Ｎ）を圧力計で計測した。試験結果を以下の表１に示した。
【００３０】
【表１】
2012082610.tif 000003
【００３１】
（考察）
試験体１ないし５で最大引張荷重値（Ｎ）にバラツキが生じたが、タイル２０とタイル剥落防止具１とが分離するには平均で５１９Ｎ（上下を数値を除外した平均値４６６Ｎ）の力が必要であり、タイル剥落防止具１にはタイル２０に対する強い係止力があることが確認された。また、タイル２０とタイル剥落防止具１とが分離した状況を観ると、全てタイル２０の裏足が破断したことによるもので、裏足が破断する前にタイル剥落防止具１が撓んで外れてしまうこともなく、この点においてもタイルに対する強い係止力が確認された。なお、タイル剥落防止具１は、図７に示すように、基部側がモルタルまたはコンクリート層内に深く埋設し固着されること、タイル剥落防止具１は屈曲部を有し略Ｓ字等に構成されモルタル等がその周囲に付着硬化していることから、タイル２０とタイル剥落防止具１とが一体となって剥落することは考え難く、上記試験結果に鑑みて、タイル剥落防止具１には高い剥落防止効果があるものと考えられる。
【符号の説明】
【００３２】
１    タイル剥落防止具
２    第１挿入部
３    第１固定部
４    第２挿入部
５    第２固定部
６    結束用穴
２０  タイル
２１，２２  裏足
２３，２４  凹部
２５  凹条部
３０  ＰＣ板
３１  コンクリート層
３２  鉄筋  
【図１】
2012082610.tif 000004
【図２】
2012082610.tif 000005
【図３】
2012082610.tif 000006
【図４】
2012082610.tif 000007
【図５】
2012082610.tif 000008
【図６】
2012082610.tif 000009
【図７】
2012082610.tif 000010
【図８】
2012082610.tif 000011